(57)【特許請求の範囲】
【請求項１】
パケット単位のスイッチングおよび転送を行う複数のサブネットワークと、この複数のサブネットワークに共通に接続され、光伝送路とこの光伝送路を終端するノードとを用いて構成される光ネットワークとを備え、
前記複数のサブネットワークにはそれぞれ、そのサブネットワークを前記光ネットワークに接続するためのボーダルータが設けられた
マルチレイヤ光ネットワークにおいて、
前記ノードにはそれぞれ、光波長単位のスイッチングを行う光波長スイッチング手段と、パケット単位のスイッチングを行うパケットスイッチング手段との少なくとも一方が設けられ、
前記ボーダルータにはパケットスイッチング手段が設けられ、
前記ノード相互間および前記ノードと前記ボーダルータとの間にはそれぞれ、両端がパケットスイッチング手段でありそれらが直接あるいは１以上の光波長スイッチング手段を経由して接続される光パスを設定可能であり、
このようにして設定された１以上の光パスを用いて、前記複数のサブネットワークを相互に接続する電気パスが設定される
ことを特徴とするマルチレイヤ光ネットワーク。
【請求項２】
請求項１記載のマルチレイヤ光ネットワークにパスを設定する方法において、
光パスの設定は、少なくとも片端が光波長スイッチング手段となるノード間の光波長リンクを対象として光パスの経路を計算し、その計算に基づいて、両端がパケットスイッチング手段となるように行い、
電気パスの設定は、二つのボーダルータ間に、既存の光パスを流用または新規に設定した光パスを用いて行う
ことを特徴とするマルチレイヤ光ネットワークのパス設定方法。
【請求項３】
電気パスの需要に応じてボーダルータとノードとの間およびノード相互間で自律的に光パスを設定、変更あるいは解放する請求項２記載のパス設定方法。
【請求項４】
光パスの設定変更が必要な場合には、前記二つのボーダルータ間に設定された電気パスを維持しながら、その経路である光パスの設定を変更する請求項２記載のパス設定方法。
【請求項５】
各ノードおよび各ボーダルータは自己の光パスおよび電気パスの設定情報を他のすべてのノードおよびボーダルータに広告し、すべての光パスおよび電気パスの設定情報をすべてのノードおよびすべてのボーダルータで共有する請求項３または４記載のパス設定方法。
【請求項６】
請求項１記載のマルチレイヤ光ネットワークにおけるノードとして用いられ、
光波長単位のスイッチングを行う光波長スイッチング手段と、この光波長スイッチング手段の入出力ポートの一部が接続されパケット単位のスイッチングを行うパケットスイッチング手段とを備えた
ことを特徴とする中継用光ルータ。
【発明の詳細な説明】
【０００１】
【発明の属する技術分野】
本発明は、光波長による光パスとそれを用いた電気パスの２階層構成の光ネットワークに関する。
【０００２】
【従来の技術】
光ネットワークは、光伝送路とこの光伝送路を終端するノードとを用いて構成され、このノードには、光伝送路を伝送される光信号パケットをいったん電気信号パケットに変換してそのヘッダ情報を読み取り、宛先方路に相当する光波長の光信号パケットに再び変換して転送するパケットスイッチングケーパビリティ（以下、ＰＳＣという）と、光伝送路を伝送される光信号パケットを光信号のまま光波長に基づき転送を行う光波長スイッチングケーパビリティ（以下、ＬＳＣという）とがある。
【０００３】
光ネットワークには、複数のサブネットワークが接続される。このサブネットワーク相互間は電気パスにより接続される。この電気パスは、光ネットワークに属する１つまたは複数の光パスにより構成される。
【０００４】
【発明が解決しようとする課題】
従来の光ネットワークでは、光パスと電気パスとは独立に運営され、電気パスの需要やトラヒック変動等で光パスを自由に変更することはできなかった。また、光パスが固定的であったため、パケットトラヒックの変動に即応できない、光パスのリソースを有効に活用できないといった問題があった。さらに光パスを変更する場合は、光ネットワーク運営事業者に申請し、光ネットワーク運営事業者が人手により光パスを切り替える必要がある問題があった。
【０００５】
本発明は、このような背景に行われたものであって、光パスを電気パスの需要に応じて自律的に設定、変更、解放を行うことができるマルチレイヤ光ネットワークおよびそのパス設定方法ならびに中継用光ルータを提供することを目的とする。
【０００６】
【課題を解決するための手段】
本発明は、ＰＳＣまたはＬＳＣを備えたノードおよびボーダルータを用い、光パスを適宜変更または解放することによって、網リソースを有効利用できる電気パスの設定を実現するものである。
【０００７】
すなわち、本発明の第一の観点はマルチレイヤ光ネットワークであって、パケット単位のスイッチングおよび転送を行う複数のサブネットワークと、この複数のサブネットワークに共通に接続され、光伝送路とこの光伝送路を終端するノードとを用いて構成される光ネットワークとを備え、前記複数のサブネットワークにはそれぞれ、そのサブネットワークを前記光ネットワークに接続するためのボーダルータが設けられたマルチレイヤ光ネットワークである。
【０００８】
ここで、本発明の特徴とするところは、前記ノードにはそれぞれ、光波長単位のスイッチングを行う光波長スイッチング手段（ＬＳＣ）と、パケット単位のスイッチングを行うパケットスイッチング手段（ＰＳＣ）との少なくとも一方が設けられ、前記ボーダルータにはパケットスイッチング手段が設けられ、前記ノード相互間および前記ノードと前記ボーダルータとの間にはそれぞれ、両端がパケットスイッチング手段でありそれらが直接あるいは１以上の光波長スイッチング手段を経由して接続される光パスを設定可能であり、このようにして設定された１以上の光パスを用いて、前記複数のサブネットワークを相互に接続する電気パスが設定されることにある。
【０００９】
本発明の第二の観点は、このようなマルチレイヤ光ネットワークにパスを設定する方法であり、光パスの設定は、少なくとも片端が光波長スイッチング手段となるノード間の光波長リンクを対象として光パスの経路を計算し、その計算に基づいて、両端がパケットスイッチング手段となるように行い、電気パスの設定は、二つのボーダルータ間に、既存の光パスを流用または新規に設定した光パスを用いて行うことを特徴とする。
【００１０】
すなわち、電気パスを構成する複数の光パスの個々については、少なくとも片端にＬＳＣを備えていればよいので、そのような光波長リンクを対象として光パスの経路を計算する。例えば、両端にＬＳＣを備えた光波長リンクは、光パスの中継として用いることができる。また、一端にＬＳＣを備え、他端にＰＳＣを備えた光波長リンクは、光パスの端部として用いることができる。
【００１１】
電気パスの需要に応じてボーダルータとノードとの間およびノード相互間で自律的に光パスを設定、変更あるいは解放することが望ましい。この場合、光パスの設定変更が必要な場合には、前記二つのボーダルータ間に設定された電気パスを維持しながら、その経路である光パスの設定を変更する。また、各ノードおよび各ボーダルータは自己の光パスおよび電気パスの設定情報を他のすべてのノードおよびボーダルータに広告し、すべての光パスおよび電気パスの設定情報をすべてのノードおよびすべてのボーダルータで共有することが望ましい。
【００１２】
本発明の第三の観点は、上述のマルチレイヤ光ネットワークにおけるノードとして用いられる中継用光ルータであり、光波長単位のスイッチングを行う光波長スイッチング手段と、この光波長スイッチング手段の入出力ポートの一部が接続されパケット単位のスイッチングを行うパケットスイッチング手段とを備えたことを特徴とする。
【００１３】
【発明の実施の形態】
本発明実施例のマルチレイヤ光ネットワークを図１ないし図８を参照して説明する。図１は物理的な光伝送路とノードとによる物理ネットワーク構成例を示す図である。図２は図１の物理的な構成を用いて論理的な光波長ネットワークを構成した例を示す図である。図３はＯ−ＬＳＰの構成例を示す図である。図４R>４はＯ−ＬＳＰの経路計算の実施例を説明するための光ネットワーク構成例を示す図である。図５はサブネットワークと光ネットワークとの複数接続構成例を示す図である。図６はノード間のＯ−ＬＳＰ設定時の信号シーケンス例を示す図である。図７は本発明における中継ノードの構成例を示す図である。図８は中継ルータを使用した場合のＯ−ＬＳＰ、Ｅ−ＬＳＰの構成例を示す図である。
【００１４】
本実施例のマルチレイヤ光ネットワークは、図１に示すように、パケット単位のスイッチングおよび転送を行う複数のサブネットワーク１−１〜１−４と、この複数のサブネットワーク１−１〜１−４に共通に接続され、光伝送路とこの光伝送路を終端するノード２−１〜２−４および中継用光ルータ２−５とを用いて構成される光ネットワーク２とを備え、ノード２−１〜２−４および中継用光ルータ２−５相互間およびノード２−１〜２−４とサブネットワーク１−１〜１−４内のボーダルータ１−１Ｒ〜１−４Ｒとを接続する光波長リンクの端点には、光波長単位のスイッチングを行うＬＳＣまたはパケット単位のスイッチングを行うＰＳＣが設けられ、図３に示すように、両端がＰＳＣに接続された光パスと、図２に示すように、この光パスを１つまたは複数用いて構成され、両端がＰＳＣに接続された電気パスとを備えたことを特徴とする。なお、ＬＳＣおよびＰＳＣは、それぞれノード２−１〜２−４および中継用光ルータ２−５およびボーダルータ１−１Ｒ〜１−４Ｒに備えられている。
【００１５】
また、図示は省略するが、少なくとも片端にＬＳＣを備えた光波長リンクを対象として前記光パスの経路を計算する装置と、この計算する装置により計算された前記光パスの経路に基づき前記電気パスの経路を計算する装置とを備える。この装置は、ノード２−１〜２−４および中継用光ルータ２−５およびボーダルータ１−１Ｒ〜１−４Ｒにそれぞれ備えてもよいし、あるいは、ネットワーク全体で一つ備えてもよい。
【００１６】
さらに、前記計算する装置の計算結果に基づき前記光パスまたは前記電気パスの設定が行われたときには、その設定情報をノード２−１〜２−４および中継用光ルータ２−５およびボーダルータ１−１Ｒ〜１−４Ｒに広告する装置を備える。この広告する装置と前記計算する装置は一つの装置として構成してもよい。
【００１７】
また、図５に示すように、１つのサブネットワーク１−１または１−２内に光ネットワーク２と接続する複数のボーダルータ１−１Ｒ１、１−１Ｒ２、１−２Ｒ１、１−２Ｒ２が設けられ、１つのサブネットワーク１−１または１−２と光ネットワーク２との間で複数の接続経路を有することもできる。
【００１８】
また、ホップ数、トラヒック状況、網コストを含むポリシに基づきノード２−１〜２−４および中継用光ルータ２−５およびボーダルータ１−１Ｒ〜１−４Ｒが自律分散的に前記光パスまたは前記電気パスの設定を変更または解放する装置を備える。この設定を変更または解放する装置は、前記計算する装置または前記広告する装置と同一の装置として構成してもよい。
【００１９】
また、図７に示すように、ＰＳＣであるルータ５−１およびＬＳＣである光クロスコネクト５−２を備えた中継用光ルータ２−５が設けられ、この中継用光ルータ２−５は、光クロスコネクト５−２の入出力ポートの一部がルータ５−１に接続される。
【００２０】
本実施例の装置は、情報処理装置であるコンピュータ装置を用いて実現することができる。すなわち、コンピュータ装置にインストールすることにより、そのコンピュータ装置に、本実施例のマルチレイヤ光ネットワークに適用される装置に相応する機能として、少なくとも片端にＬＳＣを備えた光波長リンクを対象として前記光パスの経路を計算する機能と、この計算する機能により計算された前記光パスの経路に基づき前記電気パスの経路を計算する機能とを実現させるプログラムをコンピュータ装置にインストールすることにより、そのコンピュータ装置を本実施例の前記計算する装置に相応する装置とすることができる。
【００２１】
また、コンピュータ装置にインストールすることにより、そのコンピュータ装置に、前記計算する機能の計算結果に基づき前記光パスまたは前記電気パスの設定が行われたときには、その設定情報をノード２−１〜２−４および中継用ルータ２−５およびボーダルータ１−１Ｒ〜１−４Ｒに広告する機能を実現させるプログラムをコンピュータ装置にインストールすることにより、そのコンピュータ装置を本実施例の前記広告する装置に相応する装置とすることができる。
【００２２】
また、コンピュータ装置にインストールすることにより、そのコンピュータ装置に、ホップ数、トラヒック状況、網コストを含むポリシに基づきノード２−１〜２−４および中継用光ルータ２−５およびボーダルータ１−１Ｒ〜１−４Ｒが自律分散的に前記光パスまたは前記電気パスの設定を変更または解放する機能を実現させるプログラムをインストールすることにより、そのコンピュータ装置を本実施例の前記設定を変更または解放する装置に相応する装置とすることができる。
【００２３】
本実施例のプログラムは本実施例の記録媒体に記録されることにより、コンピュータ装置は、この記録媒体を用いて本実施例のプログラムをインストールすることができる。あるいは、本実施例のプログラムを保持するサーバからネットワークを介して直接コンピュータ装置に本実施例のプログラムをインストールすることもできる。
【００２４】
これにより、コンピュータ装置を用いて、光パスを電気パスの需要に応じて自律的に設定、変更、解放を行うことができるマルチレイヤ光ネットワークを実現することができる。
【００２５】
以下では、本実施例をさらに詳細に説明する。
【００２６】
（第一実施例）
第一実施例を図１ないし図３を参照して説明する。１−１、１−２、１−３、１−４はサブネットワーク群で、１−１Ｒ、１−２Ｒ、１−３Ｒ、１−４Ｒはサブネットワーク内のボーダルータで光ネットワークとの接続点である。２は光ネットワークで、２−１、２−２、２−３、２−４、２−５は、光波長単位の交換が可能なノードである。
【００２７】
サブネットワークのボーダルータにおける光ネットワーク２との接続点はパケット単位での交換が可能なＰＳＣとして、光ネットワーク内のノードの接続点は光波長単位での交換が可能なＬＳＰとして定義する。光波長リンクであるＯ−ＬＳＰは、経路計算時には少なくとも片端はＬＳＣである経路を選択するが、Ｏ−ＬＳＰとしては、その両端はＰＳＣである必要がある。また、電気パスであるＥ−ＬＳＰは、複数のＯ−ＬＳＰを経由して構成することができるが、その両端はＰＳＣである必要がある。
【００２８】
まず、光ネットワーク２は物理的な光伝送路を用いて光ネットワーク２内の全てのノードが他のどれかのノードと接続され、かつ全てのノードが接続できるように光波長リンクを設定しておく。さらに全てのサブネットワークが光ネットワークに接続されるように光波長リンクを設定する。
【００２９】
次に、サブネットワーク間のトラヒックが多いものから順にサブネットワーク間を接続するＯ−ＬＳＰを構成する。例えば、サブネットワーク１−１がサブネットワーク１−２との交流トラヒックがある場合には、サブネットワーク１−１のボーダルータ１−１Ｒは、光ネットワークのノード２−１へサブネットワーク１−１とサブネットワーク１−２間にＯ−ＬＳＰの設定を依頼する。ノード２−１は最もホップ数の少なくなるルートを計算し、ノード２−２までの間の光波長リンクを用い、サブネットワーク１−１と１−２間にＯ−ＬＳＰを設定する。
【００３０】
すなわち、ノード２−１からノード２−５を経由してノード２−２へ接続する候補も考えられるが、計算上は、１ホップで済むノード２−１からノード２−２へ直接接続するルートを選択することになる。
【００３１】
さらに、サブネットワーク１−１はサブネットワーク１−３との交流トラヒックがある場合には、同様にノード２−１へサブネットワーク１−３とのＯ−ＬＳＰ設定を依頼する。ノード２−１は、サブネットワーク１−３と接続しているノード２−３と直接の光波長リンクがないため、中継ノード２−５との光波長リンクを用い、さらに中継ノード２−５は、ノード２−３との光波長リンクを用い、ノード２−３はサブネットワーク１−３との光波長リンクを用いて、サブネットワーク１−１とサブネットワーク１−３間のＯ−ＬＳＰを設定する。
【００３２】
Ｅ−ＬＳＰはサブネットワーク側が相手のサブネットワークとの交流トラヒック上必要とした場合に光ネットワークに設定を要求し、光ネットワークは既存のＯ−ＬＳＰを流用または新規にＯ−ＬＳＰを設定して、サブネットワークからのＥ−ＬＳＰ設定要求を満足し、かつ光ネットワーク上で最も効率のよい経路を計算してＥ−ＬＳＰを構成する。
【００３３】
図３はこのようにして構成したＯ−ＬＳＰの構成例を示す。Ｅ−ＬＳＰはこれらのＯ−ＬＳＰを用いて構成されるが、Ｏ−ＬＳＰの経路は光ネットワークの輻輳や障害などの都合で変更されることがあっても、Ｅ−ＬＳＰとして変更されない。すなわちＥ−ＬＳＰは、Ｏ−ＬＳＰの経路に係わり無く、サブネットワークのボーダルータ間が直接接続された１リンクとみなすことができる。
【００３４】
上記Ｏ−ＬＳＰの設定情報は光ネットワーク内の全てのノードに周知され、各ノードは、光ネットワーク内の全てのリンク情報を保有する。新たなＯ−ＬＳＰやＥ−ＬＳＰの設定時に既存のＯ−ＬＳＰ、Ｅ−ＬＳＰの情報を参照する。すなわち、光ネットワークでは、常に最も効率的なＯ−ＬＳＰを構成することができる利点がある。
【００３５】
（第二実施例）
第二実施例を図４を参照して説明する。Ｌ１〜Ｌ８は各ノード間を接続しているＯ−ＬＳＰであり、ＯＰ１、ＯＰ２はそれぞれサブネットワーク１−１と１−２、１−１と１−３を接続している。今、サブネットワーク１−２とサブネットワーク１−３間にＯ−ＬＳＰの設定要求がノード２−２にあった場合には、ノード２−２は、自ノードで持っているリンク設定データベースからＯ−ＬＳＰの設定情報およびＰＳＣのあるポイントを抽出して、１−２Ｒから１−３Ｒに至る最も効率のよい経路を計算する。例えば、Ｌ２−Ｌ５−Ｌ３の経路、Ｌ２−Ｌ６−Ｌ８−Ｌ３の経路、Ｌ２−Ｌ４−Ｌ７−Ｌ８−Ｌ３の経路、さらにノード２−２とノード２−３間に直接Ｏ−ＬＳＰを設定した場合等で、ホップ数、トラヒック状況、網コスト等の要素を考慮し計算する。どの要素をどの程度重要視するかはネットワークのポリシにより決められている。ノード２−２は、計算結果、最も効率のよいと判断した経路でＯＰ３を構成することとし、関係する各ノードに設定を要求する。ＯＰ３に関するリンク設定情報は光ネットワーク２内の全ノードに広告される。
【００３６】
（第三実施例）
第三実施例を図５を参照して説明する。サブネットワーク１−１は、ボーダルータ１−１Ｒ１および１−１Ｒ２を持ち、光ネットワークのノード２−１にそれぞれ接続されている。また、サブネットワーク１−２はボーダルータ１−２Ｒ１および１−２Ｒ２を持ち、光ネットワークのノード２−２とノード２−３にそれぞれ接続されている。
【００３７】
今、サブネットワーク１−１が光ネットワーク２とのトラヒックにボーダルータ１−１Ｒ１のみを使用していて、他のサブネットワークとの通信に輻輳が発生した場合には、ボーダルータ１−１Ｒ２へトラヒックの一部を迂回して、輻輳を緩和することができる。また、一つのサブネットワークでボーダルータを複数持つことで、サブネットワーク内の負荷の分散を図ることもできる。またサブネットワーク２−１では、２つのボーダルータが２つのノードに接続しているので、ノード２−２が輻輳した場合でも、ノード２−３との間で負荷分散を図ることができる。このようにサブネットワークと光ネットワークとの接続点を複数持つことで、負荷分散を図ることができ、輻輳に対応し易い利点があり、また、ボーダルータを複数設置することで信頼性も増す利点がある。
【００３８】
（第四実施例）
第四実施例を図６を参照して説明する。ボーダルータ１−１Ｒはノード２−１へボーダルータ１−３Ｒとの間に１０Ｍｂ／ｓの帯域を持つＯ−ＬＳＰの設定を依頼する（Ｓ１）。ノード２−１は、最も効率の良いＯ−ＬＳＰのルートを計算し、中継ノード２−５との間でネゴシエーションを行い、ノード２−５との光波長リンクを設定または使用し、帯域１０Ｍｂ／ｓを確保する（Ｓ２）。次に中継ノード２−５は、ノード２−３との間で光波長リンクを設定または使用して１０Ｍｂ／ｓを確保する（Ｓ３）。ノード２−３はボーダルータ１−３Ｒとの間で１０Ｍｂ／ｓの帯域を確保する（Ｓ４）。全てのルートで１０Ｍｂ／ｓの帯域が確保できるとボーダルータ１−１Ｒとボーダルータ２−３Ｒとの間で１０Ｍｂ／ｓのＯ−ＬＳＰが完成する。もし途中で要求された１０Ｍｂ／ｓが確保できない場合は、再度Ｏ−ＬＳＰのルートを計算し他のルートを探すことになる。
【００３９】
また、ボーダルータ１−１ＲからＯ−ＬＳＰの設定依頼を受けたノード２−１は、相手サブネットワークまでのＯ−ＬＳＰルートを全て指定して次ノードへ光波長リンク設定を依頼することもでき、また相手サブネットワークまでのＯ−ＬＳＰルートを指定せず、次ノード以降に任せることもできる。重要なトラヒックで光ネットワークのどのルートを通るかを明確にしておきたい、または従来の専用線のような使用方法をしたい場合は、前者の要求によるＯ−ＬＳＰ設定となる。このような場合はＯ−ＬＳＰの変更をトラヒック変動により容易には行わない。
【００４０】
一方、ルートを指定しないＯ−ＬＳＰ設定の場合は、光ネットワークの都合で、最も効率の良いＯ−ＬＳＰルートを使用し、トラヒック変動等で、Ｏ−ＬＳＰのルートを変更することができる。サブネットワークが光ネットワークへ支払う利用料金は、当然、相対的に前者の方が高く、後者は安くなる。
【００４１】
各ノードは、Ｏ−ＬＳＰの設定、使用を次ノードとのネゴシエーションで行う自律分散制御である。また、他のノードからの依頼で次のノードとのＯ−ＬＳＰの設定または使用を行う他、ノード自身の判断で、例えば、あるルートの使用率が高くなり輻輳が発生しそうな場合や伝送路障害等で通信ができない場合には、他のルートのＯ−ＬＳＰを設定または使用してＥ−ＬＳＰを確保する。
【００４２】
すなわち、光ネットワーク内のノードが自律的に判断して最適なＯ−ＬＳＰを構成するので、保守者等の人手を必要としない利点がある。また、光ネットワークの一部が障害で動作できない場合も自動的に迂回路を作成するため、障害等による通信の中断時間を少なくすることができる利点がある。
【００４３】
（第五実施例）
第五実施例を図７および図８を参照して説明する。５−１は光波長単位でスイッチする光クロスコネクト、５−２はパケット単位で交換するパケットルータ、５−３および５−４は、他のノードからの入力ポートで、複数の光波長がバンドルされている。また、５−５、５−６は同様に他のノードへの出力ポートで、再び複数の光波長がバンドルされる。バンドルされた光波長入力は各波長毎に分解されて光クロスコネクトに入り、光波長毎に設定された出力ポートに光波長を変換して出力される。また一部はパケットルータ５−２に接続されているため、パケットルータ５−２でパケット単位に行き先を変更することができる。すなわち、本発明による中継ノードは、ＬＳＰとしての機能だけでなくＰＳＣとしての機能を持ち、他のノードから１つのＯ−ＬＳＰを使用して中継ノードまでパケットを伝送するが、中継ノードでいったんパケット単位に分解して、パケット毎の行き先に振り分け、それぞれのＯ−ＬＳＰに再度乗せて伝送することができる。
【００４４】
図８は本実施例の中継ルータを使用した場合のＯ−ＬＳＰおよびＥ−ＬＳＰの構成例である。ＯＰ４、ＯＰ５、ＯＰ６はＯ−ＬＳＰ、ＥＰ１、ＥＰ２はＥ−ＬＳＰである。ＯＰ４はボーダルータ１−１Ｒから中継ノード２−５まで、ＯＰ５は中継ノード２−５からボーダルータ１−３Ｒまで、ＯＰ６は中継ノード２−５からボーダルータ１−４Ｒまで構成されており、ＥＰ１はボーダルータ１−１Ｒとボーダルータ１−３Ｒ間にＯＰ４とＯＰ５を用いて構成されており、ＥＰ２はボーダルータ１−１Ｒとボーダルータ１−４ＲにＯＰ４とＯＰ６を用いて構成されている。中継ノード２−５のルータでパケット毎に行き先を振り分けることで、ボーダルータ１−１Ｒと中継ノード２−５間は一つのＯ−ＬＳＰで済むことになる。
【００４５】
このようにして、本実施例の光ネットワークでは、常に最も効率的なＯ−ＬＳＰを構成して、ユーザ要求であるＥ−ＬＳＰ構成を保持することができる利点がある。また、サブネットワークと光ネットワークとの接続点を複数持つことで、輻輳に対応し易い利点があり、また、ボーダルータを複数設置することで信頼性を増す利点がある。また、光ネットワーク内のノードが自律的に判断して最適なＯ−ＬＳＰを構成するので、保守者などの人手を必要としない利点がある。さらに、光ネットワークの一部が障害で動作できない場合も自動的に迂回路を作成するため、障害などによる通信の中断時間を少なくすることができる利点がある。さらに中継ノードはＯ−ＬＳＰの中継のみならずＥ−ＬＳＰの中継も可能となり、光ネットワークを効率よく使用できる利点がある。
【００４６】
【発明の効果】
以上説明したように、本発明によれば、光パスを電気パスの需要に応じて自律的に設定、変更、解放を行うことができる。
【図面の簡単な説明】
【図１】  物理的な光伝送路とノードとによる物理ネットワーク構成例を示す図。
【図２】  図１の物理的な構成を用いて論理的な光波長ネットワークを構成した例を示す図。
【図３】  Ｏ−ＬＳＰの構成例を示す図。
【図４】  Ｏ−ＬＳＰの経路計算の実施例を説明するための光ネットワーク構成例を示す図。
【図５】  サブネットワークと光ネットワークとの複数接続構成例を示す図。
【図６】  ノード間のＯ−ＬＳＰ設定時の信号シーケンス例を示す図。
【図７】  本発明における中継ノードの構成例を示す図。
【図８】  中継ルータを使用した場合のＯ−ＬＳＰ、Ｅ−ＬＳＰの構成例を示す図。
【符号の説明】
１−１、１−２、１−３、１−４  サブネットワーク
１−１Ｒ、１−２Ｒ、１−３Ｒ、１−４Ｒ、１−１Ｒ１、１−１Ｒ２、１−２Ｒ１、１−２Ｒ２  ボーダルータ
２  光ネットワーク
２−１、２−２、２−３、２−４  ノード
２−５  中継ノード
５−１  光クロスコネクト
５−２  パケットルータ
５−３、５−４  入力ポート
５−５、５−６  出力ポート
ＯＰ１、ＯＰ２、ＯＰ３、ＯＰ４、ＯＰ５、ＯＰ６  光パス（Ｏ−ＬＳＰ）
ＥＰ１、ＥＰ２  電気パス（Ｅ−ＬＳＰ）
【図１】
0003801943.tif 000002
【図２】
0003801943.tif 000003
【図３】
0003801943.tif 000004
【図４】
0003801943.tif 000005
【図５】
0003801943.tif 000006
【図６】
0003801943.tif 000007
【図７】
0003801943.tif 000008
【図８】
0003801943.tif 000009